(57)【特許請求の範囲】
【請求項１】
天井、壁面、床面のいずれかを形成する板状体の一方の面に取り付けられる有機ＥＬパネルの取り付け構造において、
１辺のみに給電部を有した有機ＥＬパネルと、
前記有機ＥＬパネルを板状体に取り付ける取り付け装置と、を有し、
当該取り付け装置は、商用電源と有機ＥＬパネルとを電気的に接続するものであって、
板状体の他方の面に取り付けられるベース部と、
前記給電部と嵌合可能なコネクター部とを備えており、
前記有機ＥＬパネルは、前記給電部がコネクター部に嵌合することによって、板状体に支持された取り付け姿勢を取り、
当該取り付け姿勢において、前記商用電源から前記取り付け装置を介して前記有機ＥＬパネルの給電部に給電可能であることを特徴とする有機ＥＬパネルの取り付け構造。
【請求項２】
天井、壁面、床面のいずれかを形成する板状体の一方の面に取り付けられる有機ＥＬパネルの取り付け構造において、
少なくとも１辺に給電部を有した有機ＥＬパネルと、
前記有機ＥＬパネルを板状体に取り付ける取り付け装置と、を有し、
当該取り付け装置は、商用電源と有機ＥＬパネルとを電気的に接続するものであって、
板状体の他方の面に取り付けられるベース部と、
前記給電部と嵌合可能なコネクター部とを備えており、
前記有機ＥＬパネルは、給電部がコネクター部に嵌合することによって、板状体に支持された取り付け姿勢を取って、コネクター部によって片持ち状に支持されていることを特徴とする有機ＥＬパネルの取り付け構造。
【請求項３】
天井、壁面、床面のいずれかを形成する板状体の一方の面に取り付けられる有機ＥＬパネルの取り付け構造において、
少なくとも１辺に給電部を有した有機ＥＬパネルと、
前記有機ＥＬパネルを板状体に取り付ける取り付け装置と、を有し、
当該取り付け装置は、商用電源と有機ＥＬパネルとを電気的に接続するものであって、
板状体の他方の面に取り付けられるベース部と、
前記給電部と嵌合可能なコネクター部とを備えており、
前記コネクター部は、２面又は３面が交差する部分に配されており、少なくとも１面は板状体であり、
前記有機ＥＬパネルは、給電部がコネクター部に嵌合することによって、板状体に支持された取り付け姿勢を取ることを特徴とする有機ＥＬパネルの取り付け構造。
【請求項４】
天井、壁面、床面のいずれかを形成する板状体の一方の面に取り付けられる有機ＥＬパネルの取り付け構造において、
少なくとも１辺に給電部を有した有機ＥＬパネルと、
前記有機ＥＬパネルを板状体に取り付ける取り付け装置と、を有し、
当該取り付け装置は、商用電源と有機ＥＬパネルとを電気的に接続するものであって、
板状体の他方の面に取り付けられるベース部と、
前記給電部と嵌合可能なコネクター部とを備えており、
前記有機ＥＬパネルは、給電部がコネクター部に嵌合することによって、板状体に支持された取り付け姿勢を取るものであり、
前記有機ＥＬパネルは、面状に広がりをもって発光する発光領域を有したものであって、当該発光領域上の一部又は全部は、均熱シートで覆われており、
前記ベース部は、外部へ放熱可能な放熱部を有し、
前記コネクター部は、前記放熱部と直接的又は間接的に接続し、かつ熱伝導性を有した伝熱部材を有し、
取り付け姿勢において、前記均熱シートは伝熱部材と接触していることを特徴とする有機ＥＬパネルの取り付け構造。
【請求項５】
前記取り付け姿勢は、少なくとも有機ＥＬパネルが板状体と平行となる照明姿勢を取ることを特徴とする請求項１〜４のいずれかに記載の有機ＥＬパネルの取り付け構造。
【請求項６】
天井、壁面、床面のいずれかを形成する板状体の一方の面に有機ＥＬパネルを取り付けるための取り付け装置において、
少なくとも１辺に給電部を有した有機ＥＬパネルを板状体に取り付け、商用電源と有機ＥＬパネルとを電気的に接続する取り付け装置であって、
板状体の他方の面に取り付けられるベース部と、
前記給電部と嵌合可能なコネクター部とを備えており、
前記有機ＥＬパネルの給電部をコネクター部に嵌合させることによって、有機ＥＬパネルを板状体に支持した取り付け姿勢を取ることが可能であり、
前記コネクター部は、前記有機ＥＬパネルを片持ち状に支持可能であることを特徴とする有機ＥＬパネルの取り付け装置。
【請求項７】
天井、壁面、床面のいずれかを形成する板状体の一方の面に有機ＥＬパネルを取り付けるための取り付け装置において、
少なくとも１辺に給電部を有した有機ＥＬパネルを板状体に取り付け、商用電源と有機ＥＬパネルとを電気的に接続する取り付け装置であって、
板状体の他方の面に取り付けられるベース部と、
前記給電部と嵌合可能なコネクター部とを備えており、
前記有機ＥＬパネルの給電部をコネクター部に嵌合させることによって、有機ＥＬパネルを板状体に支持した取り付け姿勢を取ることが可能であり、
前記有機ＥＬパネルは、面状に広がりをもって発光する発光領域を有し、
当該発光領域全域を均熱シートが覆っており、
前記給電部は、均熱シートの一部が露出した伝熱領域を有し、
前記コネクター部は、取り付け姿勢において、前記伝熱領域に直接接触する伝熱部材を有するものであって、当該伝熱部材は、前記ベース部に接続されており、
有機ＥＬパネルから発生する熱は、伝熱部材を介してベース部から放熱されることを特徴とする有機ＥＬパネルの取り付け装置。
【請求項８】
前記有機ＥＬパネルは、複数の電極を有しており、
前記コネクター部は、取り付け姿勢において、前記電極の各々に電気的に接続され給電可能な給電端子を有することを特徴とする請求項６又は７に記載の有機ＥＬパネルの取り付け装置。
【発明の詳細な説明】
【技術分野】
【０００１】
本発明は、主に照明として用いられる有機ＥＬ（Electro Luminescence）パネルの取り付け構造に関するものである。また、本発明は、その取り付け構造に適した取り付け装置に関するものである。そして、本発明は、その取り付け構造に適した有機ＥＬパネルに関するものである。
【背景技術】
【０００２】
近年、白熱灯や蛍光灯に代わる照明装置として有機ＥＬパネルが注目され、多くの研究がなされている。
【０００３】
ここで、有機ＥＬパネルは、有機ＥＬ装置に封止構造やケーシングを施したものである。また、有機ＥＬ装置は、ガラス基板や透明樹脂フィルム、金属シート等の基材に、有機ＥＬ素子を積層し、この有機ＥＬ素子に給電するための給電構造を形成したものである。
そして、有機ＥＬ素子は、一方又は双方が透光性を有する２つの電極を対向させ、この電極の間に有機化合物からなる発光層を積層したものである。有機ＥＬ装置は、電気的に励起された電子と正孔との再結合のエネルギーによって発光する。
即ち、有機ＥＬパネルは、自発光デバイスであり、発光層の材料を適宜選択することにより、種々の波長の光を発光することができる。
また、有機ＥＬパネルは、白熱灯や蛍光灯、ＬＥＤ照明に比べて厚さが極めて薄くて軽く、且つ面状に発光するので、設置場所の制約が少ないという特長を有している。さらに、有機ＥＬパネルは、白熱灯や蛍光灯に比べて発光効率が高く消費電力が少なく、発熱が少ないという特長も有している。
【０００４】
ところで、有機ＥＬパネルも、白熱灯や蛍光灯、ＬＥＤ照明と同様、寿命があり、長時間使用すると、発光しない発光不能状態となる。即ち、有機ＥＬパネルも、白熱灯や蛍光灯と同様、この発光不能状態に至った場合には、新品の有機ＥＬパネルに交換する。
そこで、特許文献１では、有機ＥＬパネルの交換が容易な構造が提案されており、奥壁の一方に凹部を設け、有機ＥＬパネルがこの奥壁に対して傾けることで取り付け可能な構造が開示されている。
【先行技術文献】
【特許文献】
【０００５】
【特許文献１】特開２００７−１７２９１８号公報
【発明の概要】
【発明が解決しようとする課題】
【０００６】
ところが、特許文献１に開示されている取り付け構造を天井などの板状体上に設置する場合、凹部を設けるためのスペースを確保するために、取り付け装置全体が外側（居住空間側）に張り出す。即ち、天井などの板状体から張り出した見栄えの悪いものになる。
また、特許文献１の取り付け構造は、例えば、天井と壁とによって囲まれた角部などの狭い領域には、設けることができない。即ち、有機ＥＬパネルの設置場所の制約が少ないという利点が十分に活かされない。
また、特許文献１の取り付け装置は、有機パネル１枚ずつの交換作業が容易になるものの、複数の有機パネルを密集した状態（隣接する有機ＥＬパネル間を近接した状態）で並べて取り付ける場合、有機ＥＬパネルを取り替える際には、隣接する有機ＥＬパネルの位置を有機ＥＬパネルの並設方向にずらす必要がある。即ち、複数枚の有機パネルを並設した状態においては、交換時の作業性が悪い。
【０００７】
そこで、本発明は、上記した問題点を解決するものであり、たとえ狭い場所であっても設置可能な有機ＥＬパネルの取り付け構造を提供することを課題とするものである。
【課題を解決するための手段】
【０００８】
上記課題を解決するための請求項１に記載の発明は、天井、壁面、床面のいずれかを形成する板状体の一方の面に取り付けられる有機ＥＬパネルの取り付け構造において、１辺のみに給電部を有した有機ＥＬパネルと、前記有機ＥＬパネルを板状体に取り付ける取り付け装置と、を有し、当該取り付け装置は、商用電源と有機ＥＬパネルとを電気的に接続するものであって、板状体の他方の面に取り付けられるベース部と、前記給電部と嵌合可能なコネクター部とを備えており、前記有機ＥＬパネルは、前記給電部がコネクター部に嵌合することによって、板状体に支持された取り付け姿勢を取り、当該取り付け姿勢において、前記商用電源から前記取り付け装置を介して前記有機ＥＬパネルの給電部に給電可能であることを特徴とする有機ＥＬパネルの取り付け構造である。
本発明と関連する発明としては、天井、壁面、床面のいずれかを形成する板状体の一方の面に取り付けられる有機ＥＬパネルの取り付け構造において、少なくとも１辺に給電部を有した有機ＥＬパネルと、前記有機ＥＬパネルを板状体に取り付ける取り付け装置と、を有し、当該取り付け装置は、商用電源と有機ＥＬパネルとを電気的に接続するものであって、板状体の他方の面に取り付けられるベース部と、前記給電部と嵌合可能なコネクター部とを備えており、前記有機ＥＬパネルは、給電部がコネクター部に嵌合することによって、板状体に支持された取り付け姿勢を取る有機ＥＬパネルの取り付け構造がある。
【０００９】
本発明の構成によれば、天井、壁面、床面のいずれかを形成する板状体の一方の面に有機ＥＬパネルを取り付ける。具体的には、家等の居住空間の天井、壁面、床面の一部又は全部となる板状体の表面（使用者側の面）に有機ＥＬパネルを一体的に取り付ける構造となっている。そして、本発明の構成によれば、取り付け装置は、商用電源と有機ＥＬパネルとを電気的に接続するものである。即ち、有機ＥＬパネルは、取り付け装置を介して商用電源から電力が供給されて発光し、照明として機能する。
また、本発明の構成によれば、取り付け装置は、板状体の他方の面に取り付けられるベース部と、前記給電部と嵌合可能なコネクター部とを備えている。即ち、ベース部は、板状体の裏面（使用者側と対向する側の面）に取り付けられる。言い換えると、板状体によってベース部は隠れており、使用者は居住空間内からは視認不能又は困難な状態となっている。そのため、取り付け装置全体が外側（居住空間側）に張り出す必要がなく、外観が優れている。
また、本発明の構成によれば、有機ＥＬパネルは、有機ＥＬパネルの給電部がコネクター部に嵌合することによって、板状体に支持された取り付け姿勢を取る。言い換えると、有機ＥＬパネルは、取り付け装置のコネクター部を介して板状体に支持されている。そのため、例えば、板状体が天井面の一部を形成する場合であっても、取り付け装置が有機ＥＬパネルの重さによって落下することがない。そのため、取り付ける有機ＥＬパネルがたとえ大面積の有機ＥＬパネルであっても、使用することができる。
請求項２に記載の発明は、天井、壁面、床面のいずれかを形成する板状体の一方の面に取り付けられる有機ＥＬパネルの取り付け構造において、少なくとも１辺に給電部を有した有機ＥＬパネルと、前記有機ＥＬパネルを板状体に取り付ける取り付け装置と、を有し、当該取り付け装置は、商用電源と有機ＥＬパネルとを電気的に接続するものであって、板状体の他方の面に取り付けられるベース部と、前記給電部と嵌合可能なコネクター部とを備えており、前記有機ＥＬパネルは、給電部がコネクター部に嵌合することによって、板状体に支持された取り付け姿勢を取って、コネクター部によって片持ち状に支持されていることを特徴とする有機ＥＬパネルの取り付け構造である。
請求項３に記載の発明は、天井、壁面、床面のいずれかを形成する板状体の一方の面に取り付けられる有機ＥＬパネルの取り付け構造において、少なくとも１辺に給電部を有した有機ＥＬパネルと、前記有機ＥＬパネルを板状体に取り付ける取り付け装置と、を有し、当該取り付け装置は、商用電源と有機ＥＬパネルとを電気的に接続するものであって、板状体の他方の面に取り付けられるベース部と、前記給電部と嵌合可能なコネクター部とを備えており、前記コネクター部は、２面又は３面が交差する部分に配されており、少なくとも１面は板状体であり、前記有機ＥＬパネルは、給電部がコネクター部に嵌合することによって、板状体に支持された取り付け姿勢を取ることを特徴とする有機ＥＬパネルの取り付け構造である。
請求項４に記載の発明は、天井、壁面、床面のいずれかを形成する板状体の一方の面に取り付けられる有機ＥＬパネルの取り付け構造において、少なくとも１辺に給電部を有した有機ＥＬパネルと、前記有機ＥＬパネルを板状体に取り付ける取り付け装置と、を有し、当該取り付け装置は、商用電源と有機ＥＬパネルとを電気的に接続するものであって、板状体の他方の面に取り付けられるベース部と、前記給電部と嵌合可能なコネクター部とを備えており、前記有機ＥＬパネルは、給電部がコネクター部に嵌合することによって、板状体に支持された取り付け姿勢を取るものであり、前記有機ＥＬパネルは、面状に広がりをもって発光する発光領域を有したものであって、当該発光領域上の一部又は全部は、均熱シートで覆われており、前記ベース部は、外部へ放熱可能な放熱部を有し、前記コネクター部は、前記放熱部と直接的又は間接的に接続し、かつ熱伝導性を有した伝熱部材を有し、取り付け姿勢において、前記均熱シートは伝熱部材と接触していることを特徴とする有機ＥＬパネルの取り付け構造である。
【００１０】
請求項４に記載の発明は、前記取り付け姿勢は、少なくとも有機ＥＬパネルが板状体と平行となる照明姿勢を取ることを特徴とする請求項１〜４のいずれかに記載の有機ＥＬパネルの取り付け構造である。
【００１１】
本発明の構成によれば、取り付け姿勢は、少なくとも有機ＥＬパネルが板状体と平行となる照明姿勢を取る。即ち、主に有機ＥＬパネルを照明として使用する場合には、有機ＥＬパネルを板状体の表面に対して平行な姿勢にして使用する。そのため、例えば、板状体が天井面の一部を形成する場合において、重力のかかる方向に有機ＥＬパネルの面が向いた状態でコネクター部と嵌合した姿勢を取るため、重力のかかる方向に対して交差する方向に有機ＥＬパネルの面が向く場合に比べて、有機ＥＬパネルの給電部を大きく形成することが可能である。即ち、給電部の通電面積を広くすることができるとともに給電部に有機ＥＬパネルの自重を支えるのに十分な強度をもたすことができる。
【００１２】
ところで、上記したように有機ＥＬパネルは、従来の白熱灯や蛍光灯、ＬＥＤ照明に比べて、厚さが極めて薄く、軽量であり、面状に発光するという特性を有している。そのため、実質的には、取り付け装置に取り付けた際の取り付け装置への荷重が小さいと考えられる。
【００１３】
そこで、請求項２に記載の発明は、前記有機ＥＬパネルは、コネクター部によって片持ち状に支持されていることを特徴とする。
【００１４】
本発明の構成によれば、有機ＥＬパネルは、コネクター部によって片持ち状に支持されているため、有機ＥＬパネルの取り付けや交換の作業が容易である。
また、有機ＥＬパネルの給電部以外の部位には、コネクター部等を取り付ける必要がないため、有機ＥＬパネルの大部分が照明として機能するともに、外観も優れている。
さらに、複数の有機ＥＬパネルを併設して設置する場合であっても、有機ＥＬパネルの交換時に隣接する有機ＥＬパネルが邪魔にならない。即ち、使用者が交換しやすい。
【００１５】
請求項３に記載の発明は、前記コネクター部は、２面又は３面が交差する部分に配されており、少なくとも１面は板状体であることを特徴とする。
【００１６】
本発明の構成によれば、コネクター部は、２面又は３面が交差する部分に配されている。即ち、天井と壁面、壁面と壁面、壁面と床面の２面や、天井と壁面と壁面、２つの壁面と床面の３面などの狭い場所に有機ＥＬパネルを設置している。そのため、有機ＥＬパネルの設置場所の制約が少なく狭い場所に設置可能であるとの特長が最大限に発揮できる。
【００１７】
ところで、有機ＥＬパネルに内蔵する有機ＥＬ素子は、一定期間駆動した場合、発光輝度、発光効率、発光均一性等の発光特性が初期の場合に比べて著しく劣化するという問題がある。このような発光特性の劣化の原因としては、有機物の変性や分解等を挙げることができる。この有機物の変性や分解は、駆動時の環境が高温であったこと等が引き金となる。また、駆動時の発熱等により局所的に高温になると、各構成要素の熱膨張率の違いにより構造体の界面で圧縮応力が発生し、一部で界面が剥離したりする等の構造体の機械的劣化も引き起こす。
【００１８】
即ち、有機ＥＬパネルの劣化防止のためには、有機ＥＬパネルの駆動時の発熱や駆動時の環境が高温になった場合に生じる熱を外部に効率良く逃がす必要がある。
【００１９】
そこで、請求項４に記載の発明は、前記有機ＥＬパネルは、面状に広がりをもって発光する発光領域を有したものであって、当該発光領域上の一部又は全部は、均熱シートで覆われており、前記ベース部は、外部へ放熱可能な放熱部を有し、前記コネクター部は、前記放熱部と直接的又は間接的に接続し、かつ熱伝導性を有した伝熱部材を有し、取り付け姿勢において、前記均熱シートは伝熱部材と接触していることを特徴とする。
【００２０】
本発明の構成によれば、取り付け姿勢において、前記均熱シートは伝熱部材と接触している。即ち、有機ＥＬパネルの発光領域で発生した熱は、均熱シートによって均熱化され、伝熱部材を介してベース部の放熱部から外部へ放熱される。有機ＥＬパネルの発光領域で発生した熱がその発熱部分から板状部材で遮断されたベース部で放熱されるため、再び、発光領域に戻ることがない。即ち、有機ＥＬパネルが熱劣化しにくい。
【００２１】
本発明は、天井、壁面、床面のいずれかを形成する板状体の一方の面に取り付けられる有機ＥＬパネルにおいて、板状体の他方の面に取り付けられるベース部と、コネクター部とを備えた取り付け装置によって、板状体に取り付けられ、かつ、商用電源と電気的に接続される有機ＥＬパネルであって、少なくとも１辺に給電部を有し、前記給電部は前記コネクター部と嵌合可能となっており、給電部がコネクター部に嵌合した状態で、板状体に支持された取り付け姿勢を取る有機ＥＬパネルと関連する。
【００２２】
本発明の構成によれば、有機ＥＬパネルは取り付け装置を介して電力が供給されて発光し、照明として機能する。
そして、本発明の構成によれば、給電部がコネクター部に嵌合した状態で、板状体に支持された取り付け姿勢を取るため、設置場所の制約が少なく、たとえ狭い場所であっても設置可能である。
【００２３】
上記した有機ＥＬパネルにおいて、基材上に、第１電極層、有機発光層、及び第２電極層が積層された積層体から形成される有機ＥＬ装置と、第１電極層又は第２電極層に直接的又は間接的に接続された複数の電極を有し、前記複数の電極は、当該第１電極層と第２電極層との間に電圧を印加可能であり、前記給電部に当該電極があることが好ましい。
【００２４】
本発明は、前記有機ＥＬ装置は、有機発光層が面状に広がりをもって発光する発光領域を有したものであって、当該発光領域全域を均熱シートが覆っており、前記給電部は、均熱シートの一部が露出した伝熱領域を有する有機ＥＬパネルに関連する。
【００２５】
本発明の構成によれば、発光領域全域を均熱シートが覆っている。即ち、駆動時に発光領域で発生する熱を面状にばらつきなく均熱化することが可能であるため、局所的な蓄熱を防止することができる。言い換えると、発光領域における発光領域内の局所的な温度分布による発光のばらつきが抑制され、発光の均一性を高めることができる。
また、本発明の構成によれば、給電部は、均熱シートの一部が露出した伝熱領域を有している。即ち、取り付け姿勢において、均熱シートの一部が露出した伝熱領域がコネクター部の伝熱部材に直接的に接触する。そのため、駆動時に発光領域内で発生する熱を効率的にベース部に伝えることが可能であり、放熱性が高い。
【００２６】
請求項９に記載の発明は、天井、壁面、床面のいずれかを形成する板状体の一方の面に有機ＥＬパネルを取り付けるための取り付け装置において、少なくとも１辺に給電部を有した有機ＥＬパネルを板状体に取り付け、商用電源と有機ＥＬパネルとを電気的に接続する取り付け装置であって、板状体の他方の面に取り付けられるベース部と、前記給電部と嵌合可能なコネクター部とを備えており、前記有機ＥＬパネルの給電部をコネクター部に嵌合させることによって、有機ＥＬパネルを板状体に支持した取り付け姿勢を取ることが可能であり、前記コネクター部は、前記有機ＥＬパネルを片持ち状に支持可能であることを特徴とする有機ＥＬパネルの取り付け装置である。
本発明は、天井、壁面、床面のいずれかを形成する板状体の一方の面に有機ＥＬパネルを取り付けるための取り付け装置において、少なくとも１辺に給電部を有した有機ＥＬパネルを板状体に取り付け、商用電源と有機ＥＬパネルとを電気的に接続する取り付け装置であって、板状体の他方の面に取り付けられるベース部と、前記給電部と嵌合可能なコネクター部とを備えており、前記有機ＥＬパネルの給電部をコネクター部に嵌合させることによって、有機ＥＬパネルを板状体に支持した取り付け姿勢を取ることが可能であることに関連する。
【００２７】
本発明の構成によれば、有機ＥＬパネルの給電部をコネクター部に嵌合させることによって、有機ＥＬパネルを板状体に支持した取り付け姿勢を取ることが可能であるため、設置場所の制約が少なく、たとえ狭い場所であっても有機ＥＬパネルを設置可能である。
請求項７に記載の発明は、天井、壁面、床面のいずれかを形成する板状体の一方の面に有機ＥＬパネルを取り付けるための取り付け装置において、少なくとも１辺に給電部を有した有機ＥＬパネルを板状体に取り付け、商用電源と有機ＥＬパネルとを電気的に接続する取り付け装置であって、板状体の他方の面に取り付けられるベース部と、前記給電部と嵌合可能なコネクター部とを備えており、前記有機ＥＬパネルの給電部をコネクター部に嵌合させることによって、有機ＥＬパネルを板状体に支持した取り付け姿勢を取ることが可能であり、前記有機ＥＬパネルは、面状に広がりをもって発光する発光領域を有し、当該発光領域全域を均熱シートが覆っており、前記給電部は、均熱シートの一部が露出した伝熱領域を有し、前記コネクター部は、取り付け姿勢において、前記伝熱領域に直接接触する伝熱部材を有するものであって、当該伝熱部材は、前記ベース部に接続されており、有機ＥＬパネルから発生する熱は、伝熱部材を介してベース部から放熱されることを特徴とする有機ＥＬパネルの取り付け装置である。
【００２８】
請求項６又は７に記載の有機ＥＬパネルの取り付け装置において、前記有機ＥＬパネルは、複数の電極を有しており、前記コネクター部は、取り付け姿勢において、前記電極の各々に電気的に接続され給電可能な給電端子を有することが好ましい（請求項８）。
【００２９】
請求項７に記載の発明は、前記有機ＥＬパネルは、面状に広がりをもって発光する発光領域を有し、当該発光領域全域を均熱シートが覆っており、前記給電部は、均熱シートの一部が露出した伝熱領域を有し、前記コネクター部は、取り付け姿勢において、前記伝熱領域に直接接触する伝熱部材を有するものであって、当該伝熱部材は、前記ベース部に接続されており、有機ＥＬパネルから発生する熱は、伝熱部材を介してベース部から放熱されることを特徴とする。
【００３０】
本発明の構成によれば、有機ＥＬパネルから発生する熱は、伝熱部材を介してベース部から放熱されるため、効率的にベース部に伝えることが可能であり、放熱性が高い。
【発明の効果】
【００３１】
本発明の構成によれば、設置場所の制約が少なく、たとえ取り付け空間が狭い場所であっても設置可能である。
【図面の簡単な説明】
【００３２】
【図１】本発明の第１実施形態に係る有機ＥＬパネルの取り付け構造の設置状況を表す説明図である。
【図２】図１の有機ＥＬパネルの取り付け構造を表す斜視図である。
【図３】図１の有機ＥＬパネルの取り付け構造の取り付け姿勢を表す説明図であり、（ａ）は照明姿勢を表し、（ｂ）は交換姿勢を表す。
【図４】図２の有機ＥＬパネルの取り付け構造の分解斜視図である。
【図５】図４のコネクター部を表す斜視図である。
【図６】図４のベース部を表す斜視図である。
【図７】図６のベース部の平面図である。
【図８】図４の有機ＥＬパネルの斜視図である。
【図９】図８の有機ＥＬパネルの分解斜視図である。
【図１０】照明姿勢における有機ＥＬパネルの取り付け構造を表す断面図である。
【図１１】交換姿勢における有機ＥＬパネルの取り付け構造を表す断面図である。
【図１２】照明姿勢における有機ＥＬパネルの取り付け構造の電流の流れを表す説明図であり、電流の流れを太線で表している。
【図１３】照明姿勢における有機ＥＬパネルの取り付け構造の熱の流れを表す説明図であり、熱の流れを太線で表している。
【図１４】ベース部とコネクター部を組み立てた際の斜視図である。
【図１５】有機ＥＬ装置を表す断面模式図である。
【図１６】図１２の有機ＥＬ装置を表す斜視模式図である。
【図１７】他の実施形態における有機ＥＬパネルの取り付け構造を表す斜視図である。
【図１８】他の実施形態における有機ＥＬパネルの取り付け構造を表す斜視図である。
【図１９】他の実施形態における有機ＥＬパネルの取り付け構造を表す斜視図である。
【発明を実施するための形態】
【００３３】
以下、本発明の実施形態について詳細に説明する。
なお、以下の説明において、特に断りがない限り、有機ＥＬパネルの取り付け構造１の上下左右の位置関係は、図２の姿勢を基準に説明する。また、有機ＥＬパネル５内の有機ＥＬ装置２０１の層構成については、図１５のように発光面（基板２０２側）を下面にした姿勢、即ち裏面から視た姿勢を基準に説明する。
【００３４】
第１実施形態の有機ＥＬパネルの取り付け構造１は、図１，図２のように居住空間１００の内外に亘って設けられるものである。有機ＥＬパネルの取り付け構造１は、板状体として、居住空間１００の天井板２を用いている。即ち、有機ＥＬパネルの取り付け構造１は、図２に示すように、天井板２（板状体）に取り付け装置３を用いて有機ＥＬパネル５を取り付ける構造である。そして、有機ＥＬパネルの取り付け構造１は、居住空間１００の天井の一部又は全部を形成する天井板２と、居住空間１００の壁面の一部又は全部を形成する壁板４と、が交差した角部に有機ＥＬパネル５を設置するものである。
【００３５】
また、有機ＥＬパネルの取り付け構造１では、有機ＥＬパネル５を取り付け装置３に対して着脱可能となっており、有機ＥＬパネル５を取り付け装置３に取り付けた取り付け姿勢を取る。さらに、この取り付け姿勢は、図３（ａ）のように、取り付けた有機ＥＬパネル５が天井板２に対して平行となる照明姿勢と、図３（ｂ）のように、取り付けた有機ＥＬパネル５が天井板２に対して傾斜した状態となる交換姿勢と、を取る。
【００３６】
また、有機ＥＬパネルの取り付け構造１は、図２のように天井板２と、取り付け装置３と、有機ＥＬパネル５とを構成要素としており、必要に応じて間隔調整部材２１を備えるものである。
【００３７】
まず、有機ＥＬパネルの取り付け構造１を形成する各部材について説明する。
【００３８】
天井板２（板状体）は、有機ＥＬパネル５を設置する建築物や電気器具等に用いられる板状の部材である。本実施形態では、図１のように天井の一部又は全部を形成する天井板２に有機ＥＬパネル５を取り付けた場合について説明する。
壁板４は、天井板２と同様、建築物や電気器具等に用いられる板状の部材であり、本実施形態では、壁の一部又は全部を形成するものである。即ち、壁板４は、天井板２に対して直交する方向を向いている。
【００３９】
取り付け装置３は、図４に示すように、コネクター部６と、ベース部７から形成されている。
コネクター部６は、有機ＥＬパネル５を支持するとともに、有機ＥＬパネル５に給電する部材であり、図４のように有機ＥＬパネル５の一部と嵌合可能なパネル用凹部８と、ベース部７のコネクター用凸部２２（雄側端子）と嵌合可能なベース用凹部１０（雌側端子）を有している。
【００４０】
コネクター部６の下部に位置するパネル用凹部８は、有機ＥＬパネル５を装着可能な部位であり、図５のように有機ＥＬパネル５を挿通可能な長方形状の開口１１を有している。また、パネル用凹部８の内部には、取り付け姿勢において、開口１１内に挿入した有機ＥＬパネル５の角度を所望の角度に変更可能な、角度変更手段６０を備えている。
【００４１】
図５のように開口１１の高さ（短辺）Ｈ１は、嵌合される有機ＥＬパネル５の給電部１２の部材厚に対応する幅となっており、給電部１２の部材厚とほぼ同一か長くなっている。具体的には、本実施形態の開口１１の高さ（短辺）Ｈ１は、０．５ｍｍ〜１０ｍｍであり、０．５ｍｍ〜５ｍｍであることが好ましく、０．５ｍｍ〜２．５ｍｍであることがより好ましい。
また、開口１１の幅（長辺）Ｗ１は、嵌合される有機ＥＬパネル５の給電部１２の幅に対応する長さとなっており、有機ＥＬパネル５の給電部１２の幅とほぼ同一か長くなっている。具体的には、本実施形態の開口１１の幅（長辺）Ｗ１は、０．５ｃｍ〜２００ｃｍであり、２ｃｍ〜１００ｃｍであることが好ましく、５ｃｍ〜５０ｃｍであることがより好ましい。
【００４２】
また、図２のような取り付け姿勢において、コネクター部６のパネル用凹部８の角度変更手段６０の内壁面であって、有機ＥＬパネル５の給電部１２と接触する接触面１７には、図５のように有機ＥＬパネル５の給電部１２に給電可能な給電端子１６と、有機ＥＬパネル５の給電部１２の熱をベース部７に伝熱可能な伝熱端子１８を備えている。
なお、接触面１７の位置は、挿入する有機ＥＬパネル５の給電部１２の配置によって適宜変更されるが、本実施形態では、接触面１７が高さ方向ｈの上面に位置している。
【００４３】
給電端子１６は、図５のようにコネクター部６の上部に位置するベース用凹部１０の通電用凹部２５にコネクター用通電部材５５を介して電気的に接続されている。即ち、給電端子１６は、取り付け姿勢において、有機ＥＬパネル５の給電部１２の電極３３（図９参照）に接触することで、有機ＥＬパネル５とベース部７とを電気的に接続する。
給電端子１６及びコネクター用通電部材５５は、高電気伝導性の素材によって形成されており、例えば、グラファイトや、銅、銀、金、白金等が挙げられる。
【００４４】
伝熱端子１８は、図５のようにコネクター部６の上部に位置するベース用凹部１０の伝熱用凹部２６（雌側端子）にコネクター用伝熱部材５６を介して伝熱可能となっている。即ち、伝熱端子１８は、取り付け姿勢において、有機ＥＬパネル５の給電部１２の伝熱領域２０に接触することで、有機ＥＬパネル５内で発生する発熱をベース部７に伝熱可能となっている。
伝熱端子１８及びコネクター用伝熱部材５６は、高熱伝導性の素材によって形成されており、例えば、グラファイトや、銅、アルミニウム、鉄、ニッケル、クロム、スズ、真鍮、ステンレス等が挙げられる。
【００４５】
また、伝熱端子１８は、給電端子１６に対して幅方向ｗの外側に設けられており、給電端子１６と伝熱端子１８との間には、所定の間隔が空けられている。そのため、伝熱端子１８の素材として、熱伝導性と電気伝導性の双方を備えた素材を用いたとしても、商用電源と有機ＥＬパネル５間の通電を阻害しない。
【００４６】
コネクター部６の上部に目を移すと、ベース用凹部１０は、図５のように通電用凹部２５と伝熱用凹部２６から形成されている。そして、通電用凹部２５は、コネクター用凸部２２の通電用凸部３１と嵌合可能となっており、通電用凹部２５は、コネクター部６の内部で、コネクター用通電部材５５を介して給電端子１６に電気的に接続されている。
【００４７】
一方、伝熱用凹部２６は、コネクター用凸部２２の伝熱用凸部３２と嵌合可能となっており、コネクター部６の内部で、コネクター用伝熱部材５６を介して伝熱端子１８と熱伝導可能となっている。そして、通電用凹部２５は伝熱用凹部２６に対して内側に設けられており、給電端子１６と伝熱端子１８との間は、壁によって区切られている。
【００４８】
続いて、ベース部７に目を移すと、ベース部７は、図２のように天井板２の上面又は上方（有機ＥＬパネル５側と対向する側）に設置されるものである。
ベース部７は、図６のように長方形状の骨格部２７と、商用電源と電気的に接続可能な実装部３０と、コネクター用凸部２２と、外部に伝熱した熱を外部に放熱する放熱部２３と、を有している。なお、コネクター用凸部２２は、コネクター部６のベース用凹部１０と接続するものであり、通電用凸部３１と、伝熱用凸部３２とから形成されている。
【００４９】
骨格部２７の内部には、通電用凸部３１と実装部３０とを接続するベース用通電部材５７と、伝熱用凸部３２と骨格部２７の上面側とを接続するベース用伝熱部材５８と、が埋設されている。即ち、骨格部２７は、ベース用通電部材５７によって、商用電源と通電用凸部３１とを電気的に接続可能となっている。また同様に、骨格部２７は、ベース用伝熱部材５８によって、放熱部２３と伝熱用凸部３２間を熱伝導可能となっている。
なお、ベース用通電部材５７は、高電気伝導性の素材によって形成されており、コネクター用通電部材５５と同様の素材によって形成することができる。また、ベース用伝熱部材５８は、高熱伝導性の素材によって形成されており、コネクター用伝熱部材５６と同様の素材によって形成することができる。
【００５０】
また、骨格部２７は、少なくとも２つの素材から形成されており、図６のように上部骨格部３５と下部骨格部３６を有している。
【００５１】
骨格部２７の上面側に位置する上部骨格部３５（天面側）は、放熱性の観点から高熱伝導性の素材によって形成されている。
上部骨格部３５の素材としては、例えば、グラファイト、銅、アルミニウム、鉄、ニッケル、クロム、スズ、真鍮、ステンレスなどが挙げられる。放熱性、均熱性の観点から、アルミニウムが特に好ましい。上部骨格部３５は、プレス成形やダイキャスト成形、押出成形等の公知の成形方法によって成形される。
また、上部骨格部３５の上面（天井板２側と対向する側）は、図７のように少なくとも一部に電気的に絶縁され、熱的に断熱された絶縁領域５２を有している。具体的には、絶縁領域５２は、上部骨格部３５の上面の略中央に配されている。そして、その絶縁領域５２には、実装部３０が配されている。
実装部３０は、直流安定化電源や調光、調色、信号送受信等の公知の実装部品を実装されている。
【００５２】
また、上部骨格部３５の絶縁領域５２以外の領域であって、その上面及び／又はその側面には、放熱部２３が設けられている。
放熱部２３は、伝熱用凸部３２からベース用伝熱部材５８及び上部骨格部３５を介して伝熱された熱を放熱可能な部位である。本実施形態では、放熱部２３は、図６のように複数の放熱用のフィンで形成されている。そのため、より効果的に放熱可能となる。
【００５３】
一方、図６のように骨格部２７の下面側に位置する下部骨格部３６（天井板２側）は、プラスチック等の熱伝導性が低い素材で形成されている。そのため、実装部３０を有機ＥＬパネル５等の熱源から遮断することができる。
【００５４】
続いて、有機ＥＬパネル５について説明する。
有機ＥＬパネル５は、図８に示すように、その面内に発光領域５０を備えており、その発光領域５０に対応して有機ＥＬ素子２２０を１個以上備えた有機ＥＬ装置２０１が内蔵されている。本実施形態の有機ＥＬパネル５は、図１５，図１６のような発光領域５０に対応する有機ＥＬ素子２２０を複数備えた有機ＥＬ装置２０１を内蔵している。そして、有機ＥＬ装置２０１は、各有機ＥＬ素子２２０間で電気的に直列に接続されている。
そのため、有機ＥＬ素子２２０の電極層間の電圧降下による電力ロスを低減することが可能である。また、発光領域５０面内の発光均一性を高めることもできる。
なお、有機ＥＬパネル５に内蔵される有機ＥＬ装置２０１の詳細については後述する。
【００５５】
また、有機ＥＬパネル５は、図８のように、その面内の少なくとも１辺に有機ＥＬ装置２０１に給電する給電部１２を備えている。給電部１２内には、後述する有機ＥＬ装置内の第１電極層２０３（図１５参照）と第２電極層２０６（図１５参照）に直接的又は間接的に接続し、第１電極層２０３と第２電極層２０６の間に電圧を印加可能な複数の電極３３が配されている。
【００５６】
有機ＥＬパネル５は、図９のように均熱シート２１１を備えており、この均熱シート２１１は有機ＥＬパネル５の発光領域５０の全域を覆っている。即ち、有機ＥＬ装置２０１の上部又は上方には、均熱シート２１１が配されている。具体的には、後述する有機ＥＬ装置２０１の封止層２１６（図１５参照）上に直接接するように配されている。
均熱シート２１１は発光領域５０の全域を覆っているため、発光領域５０において、面内温度分布による発光部位のバラツキを抑制することができ、発光部位の均一性を高めることができる。
【００５７】
さらに、均熱シート２１１は、発光領域５０から給電部１２に亘って延在している。即ち、有機ＥＬパネル５のほぼ全域を均熱シート２１１が覆っている。そして、均熱シート２１１上を保護フィルム２２６が覆っている。
また、有機ＥＬパネル５は、図８のように給電部１２において均熱シート２１１の一部が保護フィルム２２６から露出した伝熱領域２０を有している。そのため、有機ＥＬパネル５の発光に伴う発熱を取り付け装置３に効率的に伝熱することが可能であり、有機ＥＬパネル５が過度に温度上昇することを防止することが可能である。
保護フィルム２２６は、有機ＥＬパネル５の上面のほぼ全体を覆っている。具体的には、有機ＥＬパネル５の図９のように電極３３と伝熱領域２０以外の部位を覆っている。
【００５８】
続いて、間隔調整部材２１について説明する。
間隔調整部材２１は、図２のようにベース部７と天井板２との間隔を調整する部材である。即ち、間隔調整部材２１は、取り付け姿勢において、コネクター部６に嵌合する有機ＥＬパネル５の天井板２に対する取り付け位置３を調整可能となっている。
【００５９】
続いて、有機ＥＬパネルの取り付け構造１の各姿勢における各部材の位置関係について説明する。
【００６０】
まず、説明の都合上、照明姿勢について説明する。
有機ＥＬパネル５は、図１０のようにコネクター部６に嵌合しており、コネクター部６を介して天井板２に横姿勢で固定されている。即ち、有機ＥＬパネル５の面は、天地方向を向いている。
また、有機ＥＬパネル５は、コネクター部６を支点として片持ち状に支持されている。即ち、有機ＥＬパネル５は、天井板２に間接的に支持されている。
コネクター部６に着目すると、コネクター部６のパネル用凹部８内部の角度変更手段６０の取り付け開口は、天井板２に対して平行方向を向いている。即ち、有機ＥＬパネルは自由端側が固定端に対して天地方向下側に位置していない。言い換えると、コネクター部６のパネル用凹部８内部の角度変更手段６０の取り付け開口は、天井板２に対して傾斜していない。
【００６１】
コネクター部６のパネル用凹部８には、有機ＥＬパネル５の一部である給電部１２が嵌挿されている。そして、有機ＥＬパネル５の電極３３に接触面１７内の給電端子１６が接触している。
また、コネクター部６の居住空間１００への露出部分（パネル用凹部８の端面）と、壁板４は図１０のように面一となっている。即ち、コネクター部６の大部分は、天井板２と壁板４の背面側に位置しており、使用者から視認不能又は視認困難となっている。
【００６２】
天井板２の下面と有機ＥＬパネル５の上面との距離Ｈ２は、特に限定されないが、外観や狭い場所への設置可能性、交換の作業の容易性の観点から０ｍｍ以上３ｃｍ以下であることが好ましく、０ｍｍ以上１ｃｍ以下であることがより好ましく、０ｍｍ以上５ｍｍ以下であることがさらに好ましく、実質的に接していることが最も好ましい。ここでいう「実質的に接している」とは、有機ＥＬパネル５の全部が天井板２に接している場合だけではなく、有機ＥＬパネル５の一部のみが天井板２に接している場合も含む。
【００６３】
ベース部７は、図１０のように天井板２を挟んで有機ＥＬパネル５と対向する位置に位置している。
天井板２の上面とベース部７の下面の間には、１又は複数の間隔調整部材２１が介在している。即ち、天井板２とベース部７は、所定の間隔を空けて配されている。言い換えると、天井板２とベース部７の間には、断熱空間３７（空気層）が形成されている。断熱空間３７が形成されているため、ベース部７に伝わった熱が天井板２に伝わり、天井板２が高温になることを防止できる。また、有機ＥＬパネル５の駆動が停止している状態において、ベース部７に伝わった熱が有機ＥＬパネル５に逆流することを防止できる。
なお、本実施形態では間隔調整部材２１は、ベース部７の前方側（コネクター部６と対向する側）の端部と後方側（コネクター部６側）の端部とに２つ設けられている。
【００６４】
間隔調整部材２１の下面（又は、ベース部７の下面）と天井板２の上面とを両面接着性シートで取り付けられている。そのため、天井板２に簡単に取り付け可能となっている。
【００６５】
続いて交換姿勢について説明する。
有機ＥＬパネル５は、図１１のようにコネクター部６と水平面に対して所定の角度で傾斜した傾斜姿勢で嵌合している。具体的には、水平面に対する有機ＥＬパネル５の角度は、０度よりも大きく、４５度以下となっており、５度以上３０度以下であることが好ましく、１０度以上２０度以下であることが特に好ましい。また、コネクター部６に注目すると、パネル用凹部８の角度変更手段６０の有機ＥＬパネル５の取り付け開口は、水平面に対して所定の角度で傾斜しており、居住空間１００側を向いている。即ち、有機ＥＬパネル５を取り外すと使用者が当該開口を視認できる姿勢となっている。そのため、有機ＥＬパネル５を取り替えやすい。
【００６６】
続いて、本実施形態の有機ＥＬパネルの取り付け構造１における電流及び熱の流れについて説明する。
まず、電流の流れについて説明すると、商用電源から実装部３０に供給される電流は、図１２のようにベース部７を介して、コネクター部６を経て、有機ＥＬパネル５に供給される。即ち、商用電源から給電されると、有機ＥＬパネル５に電圧を印加可能となっている。
具体的には、商用電源から実装部３０に供給される電流は、ベース部７内のベース用通電部材５７を通って、通電用凸部３１（図６参照）に伝わる。通電用凸部３１に伝わる電流は、ベース部７の通電用凸部３１からコネクター部６の通電用凹部２５（図５参照）に伝わり、コネクター部６内のコネクター用通電部材５５を通って、給電端子１６に伝わる。そして、給電端子１６に伝わる電流は、有機ＥＬパネル５の電極３３に伝わり、有機ＥＬ装置２０１内の有機ＥＬ素子２２０が発光する。
【００６７】
続いて、熱の流れについて説明すると、有機ＥＬパネル５は、上記したように商用電源から電極３３に給電されると、有機ＥＬ装置２０１内の有機ＥＬ素子２２０が発光し、熱が発生する。このとき発生した熱は、図１３のようにコネクター部６と、ベース部７の上部骨格部３５を介して放熱部２３に至り、外部に放熱される。
具体的には、有機ＥＬ素子２２０から発生した熱は、均熱シート２１１に伝わり、均熱シート２１１から給電部１２の伝熱領域２０に伝わる。その後、有機ＥＬパネル５からコネクター部６の伝熱端子１８に伝わり、コネクター部６内のコネクター用伝熱部材５６を伝わって、伝熱用凹部２６（図５参照）に伝わる。そして、伝熱用凹部２６に伝わった熱は、伝熱用凹部２６からベース部７の伝熱用凸部３２（図６参照）に伝わり、ベース部７内のベース用伝熱部材５８を通って、ベース部７の上部骨格部３５や放熱部２３のフィンから外部に放熱される。
【００６８】
本発明によれば、通電時に、有機ＥＬ素子２２０で発生した熱を外部に逃がすことが可能であるため、劣化しにくい。
【００６９】
続いて、有機ＥＬパネルの取り付け構造１の一般的な設置手順に沿って説明する。
まず、使用する有機ＥＬパネル５の給電部１２に対応するコネクター部６及び使用する天井板２を選択する。
ここで、コネクター部６は選択可能な有機ＥＬパネル５の給電部１２の大きさ・形状に合わせ数種類から選択可能なものとする。また、天井板２はその使用部位やデザイン、強度に応じて様々な部材から選択可能なものとする。
次に、図１４に示すように、コネクター部６とベース部７を嵌合させ一体化させる。
その後、天井板２の上方にベース部７を設置した場合に、天井板２の下面が有機ＥＬパネル５の上面（非発光面）にほぼ接するように間隔調整部材２１の厚みを選択する。そして、間隔調整部材２１を天井板２上に複数載置する。必要に応じて、両面接着性シートで間隔調整部材２１を天井板２上に接着させる。
リード線等でベース部７と、ベース部７の上面に設置された実装部品等を接続して実装部３０を形成し、不要なリード線を切断削除する。
そして、コネクター部６を壁板４の上端面に載置し、コネクター部６の開口１１のみが居住空間側から視認できる状態になるように公知の締結要素によって固定する。
【００７０】
なお、有機ＥＬパネル５の取り付けや取り替えは、有機ＥＬパネル５の給電部１２をコネクター部６に嵌合することにより、施工業者や一般顧客が行う。
【００７１】
続いて、有機ＥＬパネル５に内蔵される有機ＥＬ装置２０１の層構成について説明する。
有機ＥＬ装置２０１は、図１５に示すように基板２０２（基材）上に、有機ＥＬ素子２２０を備えている。
有機ＥＬ素子２２０は、基板２０２側から順に第１電極層２０３と機能層２０５（有機発光層）と第２電極層２０６とが積層されて形成されている。
そして、有機ＥＬ装置２０１は、この有機ＥＬ素子２２０の上方（基板２０２と対向する側）から全部又は一部を覆い、封止する封止層２１６を有している。そのため、有機ＥＬ素子２２０への水分の侵入を防止することが可能である。
【００７２】
封止層２１６は、図１５に示すように第２電極層２０６側から順に堆積層２０７とコーティング層２０８の２層によって形成されている。
コーティング層２０８上に均熱シート２１１が載置されており、接着材２１０によってコーティング層２０８上に均熱シート２１１が固定されている。
有機ＥＬ装置２０１においては、第１電極層２０３には、部分的に第１電極層２０３を除去した第１電極層分離溝２２１が設けられている。機能層２０５には、部分的に機能層２０５を除去した機能層分離溝２２２が設けられている。第２電極層２０６と機能層２０５の双方には、部分的に第２電極層２０６と機能層２０５の双方を除去した単位発光素子分離溝２２３が設けられている。
【００７３】
また、有機ＥＬ装置２０１は、第１電極層分離溝２２１と機能層分離溝２２２と単位発光素子分離溝２２３とによって各薄層が区画され、独立した単位ＥＬ素子２１５ａ，２１５ｂ・・・が形成されている。
即ち、図１６のように、第１電極層分離溝２２１によって区画された複数の第１電極層２０３の内の一つと、この区画された第１電極層２０３に積層された機能層２０５の区画と、第２電極層２０６の区画とによって単位ＥＬ素子２１５が構成されている。
【００７４】
そして、図１５に示すように、機能層分離溝２２２の中に第２電極層２０６の一部が進入し、第２電極層２０６の一部が第１電極層２０３ｂと接しており、一つの単位ＥＬ素子２１５ａは隣接する単位ＥＬ素子２１５ｂと電気的に直列に接続されている。
即ち、第１電極層分離溝２２１と機能層分離溝２２２とが異なる位置にあるために、単位ＥＬ素子２１５ａに属する機能層２０５ａと、第２電極層２０６が第１電極層２０３ａからはみ出し、隣接する単位ＥＬ素子２１５ｂに跨がっている。そして、第２電極層２０６ａの機能層分離溝２２２内に進入した進入部２１２ａが、隣接する単位ＥＬ素子２１５ｂの第１電極層２０３ｂに接している。
【００７５】
その結果、基板２０２上の単位ＥＬ素子２１５ａは、第２電極層２０６ａの進入部２１２ａを介して隣接する単位ＥＬ素子２１５ｂと直列に接続されている。
【００７６】
外部から供給される電流は、第１電極層２０３ａ側から機能層２０５ａを経て第２電極層２０６ａ側に向かって流れるが、第２電極層２０６ａの一部が機能層分離溝２２２内の進入部２１２ａを介して隣の第１電極層２０３ｂと接しており、最初の単位ＥＬ素子２１５ａを経て隣の単位ＥＬ素子２１５ｂの第１電極層２０３ｂに電流が流れる。この様に、有機ＥＬ装置２０１では、各単位ＥＬ素子２１５が全て直列に電気接続され、全ての単位ＥＬ素子２１５が発光する。また、このとき、第１電極層分離溝２２１の底部に機能層２０５ａの一部が進入しているため、第１電極層２０３ｂから第１電極層２０３ａに電流が流れることはない。
なお、単位ＥＬ素子２１５の発光する部位（機能層２０５）が、発光部位となり、複数のこれらの発光部位の間の非発光の部位を含めた領域が前述の発光領域５０となる。
発光領域５０の一体性を高め優れた外観を得る観点からこの非発光部位の幅、即ち、第１電極層分離溝２２１、及び機能層分離溝２２２、単位発光素子分離溝２２３からなる部位の両端の幅は０．５ｍｍ以下とすることが好ましく、より好ましくは０．２５ｍｍ以下、さらに好ましくは０．１ｍｍ以下とすることである。
【００７７】
最後に、有機ＥＬパネル５を形成する各構成について説明する。
【００７８】
基板２０２の材質は、特に限定されるものではなく、例えば、フレキシブルなフィルム基板やプラスチック基板などから適宜選択され用いられる。特にガラス基板や透明なフィルム基板は透明性や加工性の良さの点から好適である。
【００７９】
第１電極層２０３の材質は、特に限定されるものではなく、例えば、インジウム錫酸化物（ＩＴＯ）、インジウム亜鉛酸化物（ＩＺＯ）、酸化錫（ＳｎＯ2）、酸化亜鉛（ＺｎＯ）等の金属酸化物や、銀（Ａｇ）、クロム（Ｃｒ）等のような金属などが採用される。機能層２０５内の発光層から発生した光を効果的に取り出せる点では、透明性が高いＩＴＯあるいはＩＺＯが特に好ましい。
また、第１電極層２０３は、スパッタ法やＣＶＤ法や真空蒸着法によって基板２０２上に形成される。
【００８０】
機能層２０５は、第１電極層２０３と第２電極層２０６との間に設けられ、少なくとも一つの発光層を有している層である。機能層２０５は、主に有機化合物からなる複数の層から構成されている。この機能層２０５は、一般な有機ＥＬ装置に用いられている低分子系色素材料や、共役系高分子材料などの公知なもので形成することができる．また、この機能層２０５は、ホール注入層、ホール輸送層、発光層、電子輸送層、電子注入層などの複数の層からなる積層多層構造であってもよい。
【００８１】
そして、特に、このような積層多層構造を採用した場合、機能層２０５内の電子注入層に、フッ化リチウム（ＬｉＦ）、フッ化セシウム（ＣｓＦ）、フッ化カルシウム（ＣａＦ2）等のようなアルカリ金属又はアルカリ土類金属の化合物等を採用し、機能層２０５内の電子注入層を第２電極層２０６と隣接するように積層することが好ましい。この電子注入層により、第２電極層２０６と電子注入層間の仕事関数の大小に関わらず、アルミニウム（Ａ１）、銀（Ａｇ）、ＩＴＯ、珪素（Ｓｉ）を含むＩＴＯ、等の様々な導電性材料を第２電極層２０６として用いることができる。
【００８２】
また、機能層２０５の発光層に異なる発光を示す複数のドーパントを添加してもよい。また、発光層以外の層、例えば電子輸送層やホール輸送層などにもドーパントを添加しても良い。
【００８３】
機能層２０５を構成する各層の成膜方法については、特に制限は無く、真空蒸着法やスパッタ法、ＣＶＤ法、ディッピング法、ロールコート法（印刷法）、スピンコート法、バーコード法、スプレー法、ダイコート法、フローコート法など適宜公知の方法によって成膜できる。このとき、各層を同じ成膜方法で成膜してもよく、また、異なる成膜方法で成膜してもよい。
【００８４】
第２電極層２０６に目を移すと、第２電極層２０６の材料としては、公知の物質を使用することができる。例えば銀（Ａｇ）やアルミニウム（Ａｌ）などが挙げられる。また、これらの材料はスパッタ法又は真空蒸着法によって堆積されることが好ましい。
【００８５】
堆積層２０７は、金属酸化物（Ｍ−Ｏ）、金属窒化物（Ｍ−Ｎ）、金属炭化物（Ｍ−Ｃ）によって形成されている。なお、Ｍは金属を表す。Ｓｉ−Ｎ、Ｓｉ−Ｈ、Ｎ−Ｈ等からなる窒化珪素や酸化珪素、および両者の中間固溶体である酸窒化珪素が好ましい。堆積層２０７の膜厚は１．０〜５．０μｍであることが好ましい。
また、堆積層２０７は、異なる組成のものが複数層積層していてもよい．
【００８６】
コーティング層２０８は、具体的には緻密性を有したシリカを素材としている。また、コーティング層２０８は、ポリシラザン誘導体を原料とするのが好ましい。ポリシラザン誘導体を用いたシリカ転化は、シリカ転化時重量増加を生じ、体積収縮が小さく、シリカ膜転化時に樹脂の耐え得る温度で十分にしかもクラックを生じ難くすることができる。
ここでいうポリシラザン誘導体は、珪素一窒素結合を持つポリマーであり、Ｓｉ−Ｎ、Ｓｉ−Ｈ、Ｎ−Ｈ等からなるＳｉＯ2、Ｓｉ3Ｎ4、および両者の中間固溶体ＳｉＯｘＮｙ等のセラミック前駆体ポリマーである。なお、このポリシラザン誘導体は、化学式（１）のようなＳｉと結合する水素部分が一部アルキル基等で置換された誘導体も含む。
【００８７】
【化１】
0005919023.tif 000002
【００８８】
また、コーティング層２０８の素材には、ポリシラザン誘導体の中でも特に側鎖が全て水素であるペルヒドロポリシラザンや、珪素と結合する水素部分が一部メチル基に置換された誘導体が好ましい。
また、コーティング層２０８の原料とするポリシラザン誘導体は、有機溶媒に溶解した溶液状態で用いる。
有機溶媒としては、脂肪族炭化水素、脂環式炭化水素、芳香族炭化水素等の炭化水素溶媒や、ハロゲン化炭化水素溶媒、脂肪族エーテルや脂環式エーテル等のエーテル類が使用できる。
【００８９】
接着材２１０としては、伝熱性を有したものであれば特に限定されるものではなく、例えばシリコーン系やポリイミドアミド系、ポリイミド系の樹脂や銀ペーストやはんだ等が採用できる。
【００９０】
均熱シート２１１は、好ましくは長方形状のシート又は板状体である。均熱シート２１１の大きさは、有機ＥＬパネル５の発光領域５０の全領域を覆うものであることが好ましい。
均熱シート２１１の厚みは、５０μｍ以上１ｍｍ以下であることが好ましい。均熱シート２１１の厚みは、７０μｍ以上５００μｍ以下であることがより好ましく、ｌ００μｍ以上３００μｍ以下であることが特に好ましい。
【００９１】
均熱シート２１１の材料としては、高熱伝導性を有したものであれば特に限定されるものではなく、グラファイトや、セラミック、金属、無機化合物等が採用できる。特に金属の場合には、例えは、銅、アルミニウム、鉄、ニッケル、クロム、スズ、真鍮、ステンレスなどが挙げられる。放熱性、均熱性の観点から、グラファイトシートやアルミニウム箔が特に好ましい。
【００９２】
本発明によれば、たとえ天井板２と壁板４とに囲まれた狭い空間であっても、有機ＥＬパネル５を設置可能である。
【００９３】
上記したように、第１実施形態では、天井の一部又は全部を形成する天井板２に有機ＥＬパネル５を取り付けた場合について説明したが、本発明はこれに限定されるものではなく、板状体は、図１７のように居住空間１００において床面の一部又は全部を構成する建築部材であってもよいし、居住空間１００において壁面の一部又は全部を構成する建築部材であってもよい。特に、図１８のように板状体として壁面の一部又は全部を構成する建築部材を用いる場合、ベース部７は、腰板１０２の部分にあることが好ましい。このとき、取り付け装置３のコネクター部６が壁板４の腰板１０２の端面に埋没していることが好ましい。
【００９４】
上記した実施形態では、コネクター部６を板状体に隣接する壁面内に埋め込んで面一にして、居住空間１００に開口１１のみが露出する構成としたが、本発明はこれに限定されるものではなく、コネクター部６の一部又は全部が居住空間１００側に露出してもよい。
例えば、有機ＥＬパネルを取り付ける板状体として、床面を形成する床板１０１を用いた場合には、図１７のようにコネクター部６の一部が外部に露出する構成であってもよい。
【００９５】
また、図１７のように、コネクター部６の一部が外部に露出する構成であって、取り付け装置３を面上に広がりをもって配置する場合には、隣り合う取り付け装置３の一方のコネクター部６ａの露出面を他方のコネクター部６ｂに取り付けられた有機ＥＬパネル５で隠して外観に現れないように設置することが好ましい。
このとき、有機ＥＬパネル５の発光領域５０が隣接する有機ＥＬパネル５によって覆われないように配している。即ち、隣接する有機ＥＬパネル５が有機ＥＬパネル５の発光領域５０以外の部位のみを覆っている。また、有機ＥＬパネル５の発光領域５０以外の領域を隣接する有機ＥＬパネル５が覆っている。
【００９６】
上記した実施形態では、居住空間１００の天井板２に取り付け装置３を取り付けた場合について説明したが、本発明はこれに限定されるものではなく、建築物や電気器具の一部である他の板状体に対して行っても良いし、取り付け装置３を備える板状体を製品とすることもできる。
【００９７】
上記した実施形態では、骨格部２７を素材の異なる２つの上部骨格部３５と下部骨格部３６から形成していたが、本発明はこれに限定されるものではなく、上部骨格部３５と下部骨格部３６を別体としてもよい。即ち、下部骨格部３６の上に上部骨格部３５を載置してもよい。
【００９８】
上記した実施形態では、ベース部７の骨格部２７を少なくとも２層構造にし、上面側の素材として熱伝導性を有した素材で形成することで、放熱性を高めたが、本発明はこれに限定されるものではなく、ベース部７の表面に高熱伝導性の素材からなる放熱シートを載置し、その放熱シートと伝熱用凸部３２とを直接的又は間接的に接触させてもよい。
【００９９】
上記した実施形態では基本的に、１枚の有機ＥＬパネル５に１つの取り付け装置３が対応する場合であったが、本発明はこれに限定されるものではなく、１枚の有機ＥＬパネルに対して複数の取り付け装置を用いてもよいし、複数枚の有機ＥＬパネル５に対して１つの取り付け装置を用いてもよい。また、複数枚の有機ＥＬパネル５に対して複数の取り付け装置を用いてもよい。
【０１００】
上記した実施形態では、天井板２の上面とベース部７の下面の間に間隔調整部材２１を設置することで、断熱空間３７を形成し、天井板２から有機ＥＬパネル５へ伝熱することを防止したが、本発明はこれに限定されるものではなく、例えば、ベース部７の下面に断熱シートを設けてもよい。この断熱シートを設けることによって、断熱空間３７と同様、天井板２が高温になったり、有機ＥＬパネル５に熱が逆流したりすることを防止できる。
【０１０１】
上記した実施形態では、ベース部７の上部骨格部３５や放熱部２３のフィンによって有機ＥＬパネル５から伝熱した熱の一部を外部に放熱したが、本発明はこれに限定されるものではなく、フィンの代替として、中空構造を有した密閉容器内に少量の熱媒体、例えば、水やアルコール等を真空密封し、密閉容器の内壁に毛細管が複数設けられた毛細管構造を備えたヒートパイプを用いてもよい。また、フィンとヒートパイプの双方を組み合わせてもよい。
【０１０２】
上記した実施形態では、コネクター部６のベース用凹部１０とベース部７のコネクター用凸部２２を嵌合させることによって、コネクター部６とベース部７を一体化したが、本発明はこれに限定されるものではなく、接着材や締結要素等の別の一体化手段によって一体化してもよい。
【０１０３】
上記した実施形態では、有機ＥＬパネル５として、複数の有機ＥＬ素子２２０が電気的に直列に配列した所謂集積型の有機ＥＬ装置を用いて説明したが、本発明はこれに限定されるものではなく、１つの有機ＥＬ素子２２０が発光領域５０全体に設けられた有機ＥＬ装置であってもよい。
【０１０４】
上記した実施形態では、有機ＥＬパネル５をコネクター部６によって、片持ち状に固定した場合について説明したが、本発明はこれに限定されるものではなく、図１９のように金具などの固定具６０で自由端側を固定してもよい。
【符号の説明】
【０１０５】
１  有機ＥＬパネルの取り付け構造
２  天井板（板状体）
３  取り付け装置
５  有機ＥＬパネル
６  コネクター部
７  ベース部
１２  給電部
１６  給電端子
２０  伝熱領域
２３  放熱部
５０  発光領域
２０１  有機ＥＬ装置
２０２  基板（基材）
２０３  第１電極層
２０５  機能層（有機発光層）
２０６  第２電極層
２１１  均熱シート
２２０  有機ＥＬ素子
２２５  電極
【図１】
0005919023.tif 000003
【図２】
0005919023.tif 000004
【図３】
0005919023.tif 000005
【図４】
0005919023.tif 000006
【図５】
0005919023.tif 000007
【図６】
0005919023.tif 000008
【図７】
0005919023.tif 000009
【図８】
0005919023.tif 000010
【図９】
0005919023.tif 000011
【図１０】
0005919023.tif 000012
【図１１】
0005919023.tif 000013
【図１２】
0005919023.tif 000014
【図１３】
0005919023.tif 000015
【図１４】
0005919023.tif 000016
【図１５】
0005919023.tif 000017
【図１６】
0005919023.tif 000018
【図１７】
0005919023.tif 000019
【図１８】
0005919023.tif 000020
【図１９】
0005919023.tif 000021